(57)【要約】【課題】組み合わされる各商品の色数にかかわらず、商品間の色のコーディネートを適切に行うことができるコーディネート提案装置及び方法を提供する。【解決手段】コーディネート用配色ＤＢ４４には、予めコーディネートされた第１の商品及び第２の商品の画像を解析して得られた第２の色情報であって、２色配色、３色配色、４色配色等の色数の異なる複数の配色の配色毎に第２の色情報が登録されている。コーディネートを希望する第１の商品（トップス）を受け付けると、第１の商品の画像の第１の色情報（黒）を取得する。取得した第１の色情報（黒）を含む第２の色情報（黒、赤）をコーディネート用配色ＤＢ４４から取得する。そして、第１の色情報と第２の色情報との差分の色情報（赤）を有する第２の商品（ボトムス）を、商品ＤＢ４６から検索し、検索した第２の商品を提示する。【選択図】  図６
2016071610.tif 000002
【特許請求の範囲】
【請求項１】
電子商取引される商品群に関する商品情報が登録された商品データベースであって、登録された商品毎に商品と当該商品の画像を解析して得られる単色又は複数色の各色を示す第１の色情報を含む商品情報とが関連付けられて登録された商品データベースと、
ユーザ端末からコーディネートを希望する第１の商品を受け付ける商品受付部と、
前記商品受付部により受け付けた前記第１の商品に基づいて該第１の商品の画像を解析して得られる前記第１の色情報を取得する第１の色情報取得部と、
予めコーディネートされた第１の商品及び第２の商品のそれぞれの画像を解析して得られた複数色の各色を示す第２の色情報であって、色数が異なる複数の第２の色情報が登録されたコーディネート用配色データベースと、
前記第１の色情報取得部により取得した前記第１の色情報に基づいて前記第１の色情報を含み、かつ前記第１の色情報の色数よりも多くの色数を有する第２の色情報を、前記コーディネート用配色データベースから取得する第２の色情報取得部と、
前記第１の色情報取得部により取得した前記第１の色情報と前記第２の色情報取得部により取得した前記第２の色情報との差分を示す第３の色情報を求め、前記求めた第３の色情報に基づいて前記商品データベースから前記第３の色情報と同じ色情報である前記第１の色情報を有する第２の商品を検索する商品検索部と、
前記商品検索部により検索した前記第２の商品を、前記ユーザ端末により受け付けた第１の商品に対してコーディネートされた第２の商品として前記ユーザ端末に提示する商品提示部と、
を備えたコーディネート提案装置。
【請求項２】
前記第１の色情報は、前記第１の商品の画像の色を代表する単色又は複数色に対応する色情報であって、予め設定された色数を有する基本カラーパレットから選択された単色又は複数色の各色を示す色情報であり、
前記第２の色情報は、前記第１の商品及び前記第２の商品のそれぞれの画像の色を代表する複数色に対応する色情報であって、前記基本カラーパレットから選択された複数色の各色を示す色情報である請求項１に記載のコーディネート提案装置。
【請求項３】
前記コーディネート用配色データベースには、色数が異なる複数の配色の配色毎に前記第２の色情報が登録され、
前記第２の色情報取得部は、前記第１の色情報取得部により取得した前記第１の色情報を含み、かつ前記第１の色情報の色数よりも多くの色数を有する配色毎の第２の色情報を前記コーディネート用配色データベースから取得する請求項１又は２に記載のコーディネート提案装置。
【請求項４】
前記商品提示部は、前記商品受付部が受け付けた前記第１の商品の画像と、前記商品検索部が検索した前記第２の商品の画像とを同時に観察可能なコーディネート画像を生成するコーディネート画像生成部を含み、前記コーディネート画像生成部により生成した前記コーディネート画像を前記ユーザ端末に提示する請求項１から３のいずれか１項に記載のコーディネート提案装置。
【請求項５】
前記検索された第２の商品が複数存在する場合、検索された複数の第２の商品の画像を明度又は彩度に応じて整列させる画像整列部を有し、
前記商品提示部は、前記画像整列部により整列された複数の第２の商品の画像を順次又は２以上同時に提示する請求項１から４のいずれか１項に記載のコーディネート提案装置。
【請求項６】
前記検索された第２の商品が複数存在する場合、検索された複数の第２の商品の画像を、前記第２の商品のサイズと値段とを座標軸とする空間上に整列させる画像整列部を有し、
前記商品提示部は、前記画像整列部により整列された複数の第２の商品の画像を提示する請求項１から４のいずれか１項に記載のコーディネート提案装置。
【請求項７】
前記検索された第２の商品が複数存在し、かつ前記第２の商品が色数の異なる複数の第１の色情報を有する場合、検索された複数の第２の商品の画像を色数毎に整列させる画像整列部を有し、
前記商品提示部は、前記画像整列部により整列された色数毎に整列された第２の商品の画像を提示する請求項１から４のいずれか１項に記載のコーディネート提案装置。
【請求項８】
電子商取引される商品群に関する商品情報が登録された商品データベースであって、登録された商品毎に商品と当該商品の画像を解析して得られる単色又は複数色の各色を示す第１の色情報を含む商品情報とが関連付けられて登録された商品データベースと、予めコーディネートされた第１の商品及び第２の商品のそれぞれの画像を解析して得られた複数色の各色を示す第２の色情報であって、色数が異なる複数の第２の色情報が登録されたコーディネート用配色データベースとを使用して、コーディネートされた商品を提案するコーディネート提案方法であって、
ユーザ端末からコーディネートを希望する第１の商品を受け付けるステップと、
前記受け付けた前記第１の商品に基づいて該第１の商品の画像を解析して得られる前記第１の色情報を取得するステップと、
前記取得した前記第１の色情報に基づいて前記第１の色情報を含み、かつ前記第１の色情報の色数よりも多くの色数を有する第２の色情報を、前記コーディネート用配色データベースから取得するステップと、
前記取得した前記第１の色情報と前記取得した第２の色情報との差分を示す第３の色情報を求め、前記求めた第３の色情報に基づいて前記商品データベースから前記第３の色情報と同じ色情報である前記第１の色情報を有する第２の商品を検索するステップと、
前記検索した前記第２の商品を、前記ユーザ端末により受け付けた第１の商品に対してコーディネートされた第２の商品として前記ユーザ端末に提示するステップと、
を含むコーディネート提案方法。
【請求項９】
前記第１の色情報は、前記第１の商品の画像の色を代表する単色又は複数色に対応する色情報であって、予め設定された色数を有する基本カラーパレットから選択された単色又は複数色の各色を示す色情報であり、
前記第２の色情報は、前記第１の商品及び前記第２の商品のそれぞれの画像の色を代表する複数色に対応する色情報であって、前記基本カラーパレットから選択された複数色の各色を示す色情報である請求項８に記載のコーディネート提案方法。
【請求項１０】
前記コーディネート用配色データベースには、色数が異なる複数の配色の配色毎に前記第２の色情報が登録され、
前記第２の色情報を取得するステップは、前記取得した前記第１の色情報を含み、かつ前記第１の色情報の色数よりも多くの色数を有する配色毎の第２の色情報を前記コーディネート用配色データベースから取得する請求項８又は９に記載のコーディネート提案方法。
【発明の詳細な説明】
【技術分野】
【０００１】
本発明はコーディネート提案装置及び方法に係り、特に電子商取引（ＥＣ：Electronic Commerce)される商品群に含まれる２以上の商品を適宜組み合わせた（コーディネートした）商品であるコーディネート商品をユーザに提案するコーディネート提案装置及び方法に関する。
【背景技術】
【０００２】
インターネット上における電子商取引サイト（ＥＣサイト)で服飾品等の商品を購入する場合、２種類以上の商品が調和するように組み合わせ（コーディネートし）、コーディネートした商品（以下、「コーディネート商品」という）を構成する複数の商品、又は複数の商品のうちの１つの商品（自分が持っていない商品）を選択して商品を購入する場合がある。
【０００３】
しかしながら、ユーザが自分に合ったコーディネート商品をＥＣサイトで探すのは煩雑であるという問題がある。
【０００４】
従来、上記問題を解決するために、コーディネートに適した商品の候補を提示するコーディネート支援方法が提案されている（特許文献１）。
【０００５】
特許文献１に記載のコーディネート支援方法は、指定されたキー商品に関する商品情報であるキー商品情報を、商品の属性情報を含む商品情報が格納される商品情報データベースから抽出し、抽出したキー商品情報に含まれる属性情報に基づいて、キー商品とのコーディネートに適した商品の属性情報（コーディネート属性情報）を、コーディネートに適した属性情報の組合せに関する情報を有するコーディネート情報データベースから抽出し、抽出したコーディネート属性情報を含む商品情報を、商品情報データベースからコーディネート商品情報として抽出及び表示するようにしている。
【０００６】
コーディネート属性情報の特定は、キー商品情報に含まれる商品の属性情報に基づいて、コーディネートに適した商品の組み合わせを商品の属性情報の組み合わせとして有する属性組合せ情報から、対応する商品の属性情報をコーディネート属性情報として特定する。
【０００７】
例えば、キー商品の属性情報が赤色の場合、コーディネート商品の色（コーディネート属性情報）を黒色とする場合には、（赤，黒）といった属性情報の組合せをデータベースに記憶させる。そして、コーディネート属性情報（黒色）を含む商品情報を、商品情報データベースからコーディネート商品情報として抽出及び表示する。
【０００８】
また、特許文献１には、色の調和は、同系の調和、類似の調和（色相の類似による調和、トーンの類似による調和）、対照の調和の３つに分類できる記載がある。コーディネート情報データベースには、これら色の調和について、属性情報の１つである色についての属性組合せ情報が予め登録されている。例えば，同系の調和に関する属性組合せ情報として、同一の色相番号、又は色相環において隣接する色相番号の組合せ［｛（色相，１），（色相，１）｝，｛（色相，１），（色相，２）｝，｛（色相，１），（色相，２４）｝，…，｛（色相，２３），（色相，２４）｝］が登録される。
【先行技術文献】
【特許文献】
【０００９】
【特許文献１】特開２００３−９１６８３号公報
【発明の概要】
【発明が解決しようとする課題】
【００１０】
特許文献１に記載のコーディネート支援方法は、キー商品に対してコーディネートされる他の商品（コーディネート商品）を、例えば、色のコーディネート（色の調和）に基づいて検索する場合、同系の調和、類似の調和及び対照の調和のうちのいずれの色の調和に基づいて検索する場合も、キー商品及びコーディネート商品の色は、それぞれ単色のものに限られる。
【００１１】
即ち、特許文献１に記載の発明は、単色のキー商品に基づいて２色以上の配色を有するコーディネート商品を検索することができず、また、２色以上の配色を有するキー商品に基づいて単色又は２色以上の配色を有するコーディネート商品を検索することができないという問題がある。
【００１２】
本発明はこのような事情に鑑みてなされたもので、組み合わされる各商品の色数にかかわらず、商品間の色のコーディネートを適切に行うことができるコーディネート提案装置及び方法を提供することを目的とする。
【課題を解決するための手段】
【００１３】
上記目的を達成するために本発明の一の態様に係るコーディネート提案装置は、電子商取引される商品群に関する商品情報が登録された商品データベースであって、登録された商品毎に商品と商品の画像を解析して得られる単色又は複数色の各色を示す第１の色情報を含む商品情報とが関連付けられて登録された商品データベースと、ユーザ端末からコーディネートを希望する第１の商品を受け付ける商品受付部と、商品受付部により受け付けた第１の商品に基づいて第１の商品の画像を解析して得られる第１の色情報を取得する第１の色情報取得部と、予めコーディネートされた第１の商品及び第２の商品のそれぞれの画像を解析して得られた複数色の各色を示す第２の色情報であって、色数が異なる複数の第２の色情報が登録されたコーディネート用配色データベースと、第１の色情報取得部により取得した第１の色情報に基づいて第１の色情報を含み、かつ第１の色情報の色数よりも多くの色数を有する第２の色情報を、コーディネート用配色データベースから取得する第２の色情報取得部と、第１の色情報取得部により取得した第１の色情報と第２の色情報取得部により取得した第２の色情報との差分を示す第３の色情報を求め、求めた第３の色情報に基づいて商品データベースから第３の色情報と同じ色情報である第１の色情報を有する第２の商品を検索する商品検索部と、商品検索部により検索した第２の商品を、ユーザ端末により受け付けた第１の商品に対してコーディネートされた第２の商品としてユーザ端末に提示する商品提示部と、を備える。
【００１４】
本発明の一の態様によれば、ユーザ端末からコーディネートを希望する第１の商品を受け付けると、第１の商品の画像を解析して得られる単色又は複数色の各色を示す第１の色情報を取得する。従って、第１の商品が単色の場合には、単色（１色）を示す第１の色情報を取得し、第１の商品が２色以上の配色を有する場合には、複数色の各色を示す第１の色情報を取得することになる。そして、取得した第１の色情報に基づいて、コーディネート用配色データベースから、第１の色情報を含み、かつ第１の色情報の色数よりも多くの色数を有する第２の色情報を取得する。即ち、コーディネート用配色データベースには、予めコーディネートされた第１の商品及び第２の商品のそれぞれの画像を解析して得られた複数色の各色を示す第２の色情報であって、色数が異なる複数の第２の色情報が登録されており、例えば、取得した第１の色情報の色数が１色の場合には、第１の色情報の１色と同じ色を有する２色以上の色数を有する第２の色情報をコーディネート用配色データベースから取得し、取得した第１の色情報の色数が２色の場合には、第１の色情報の２色と同じ色を有する３色以上の色数を有する第２の色情報をコーディネート用配色データベースから取得する。そして、第１の色情報と第２の色情報との差分を示す第３の色情報を求め、第３の色情報に基づいて商品データベースから第３の色情報と同じ色情報を有する第２の商品を検索し、検索した第２の商品をユーザ端末に提示する。第１の商品とコーディネート提案された第２の商品とは、コーディネート用配色データベースに登録された第２の色情報をもつことなり、第１の商品と第２の商品とは、適切に色のコーディネートがされたものとなる。コーディネート用配色データベースには、予めコーディネートされた第１の商品及び第２の商品のそれぞれの画像を解析して得られた２の色情報が登録されているからである。
【００１５】
本発明の他の態様に係るコーディネート提案装置において、第１の色情報は、第１の商品の画像の色を代表する単色又は複数色に対応する色情報であって、予め設定された色数を有する基本カラーパレットから選択された単色又は複数色の各色を示す色情報であり、第２の色情報は、第１の商品及び第２の商品のそれぞれの画像の色を代表する複数色に対応する色情報であって、基本カラーパレットから選択された複数色の各色を示す色情報であることが好ましい。
【００１６】
本来、一の商品の色自体は単色であっても、商品の画像を解析して得られる色特徴量（物理計測値）は、多色として認識され得るが、商品の画像の色を代表する色にすることで、商品の本来の色数と合わせることができ、また、代表色に対応する色情報を、基本カラーパレットから選択することで適切に減色することができ、近似した色の重複を排除することができる。
【００１７】
本発明の更に他の態様に係るコーディネート提案装置において、コーディネート用配色データベースには、色数が異なる複数の配色の配色毎に第２の色情報が登録され、第２の色情報取得部は、第１の色情報取得部により取得した第１の色情報を含み、かつ第１の色情報の色数よりも多くの色数を有する配色毎の第２の色情報をコーディネート用配色データベースから取得することが好ましい。例えば、取得した第１の色情報の色数が１色の場合には、第１の色情報の１色と同じ色を有する２色配色、３色配色、…の第２の色情報をコーディネート用配色データベースから取得し、取得した第１の色情報の色数が２色（２色配色）の場合には、第１の色情報の２色と同じ色を有する３色配色、４色配色、…の第２の色情報をコーディネート用配色データベースから取得することになる。
【００１８】
本発明の更に他の態様に係るコーディネート提案装置において、商品提示部は、商品受付部が受け付けた第１の商品の画像と、商品検索部が検索した第２の商品の画像とを同時に観察可能なコーディネート画像を生成するコーディネート画像生成部を含み、コーディネート画像生成部により生成したコーディネート画像をユーザ端末に提示することが好ましい。
【００１９】
本発明の更に他の態様に係るコーディネート提案装置において、検索された第２の商品が複数存在する場合、検索された複数の第２の商品の画像を明度又は彩度に応じて整列させる画像整列部を有し、商品提示部は、画像整列部により整列された複数の第２の商品の画像を順次又は２以上同時に提示することが好ましい。検索された第２の商品が複数存在する場合、第２の商品の画像を明度に応じて整列させ、又は第２の商品の画像の彩度に応じて整列させ、整列された複数の第２の商品の画像を順次又は２以上同時に提示することで、ユーザにとって第２の商品の選択が容易になる。
【００２０】
本発明の更に他の態様に係るコーディネート提案装置において、検索された第２の商品が複数存在する場合、検索された複数の第２の商品の画像を、第２の商品のサイズと値段とを座標軸とする空間上に整列させる画像整列部を有し、商品提示部は、画像整列部により整列された複数の第２の商品の画像を提示することが好ましい。これにより、整列された第２の商品の画像の中からサイズと値段により所望の第２の商品を探すことができる。
【００２１】
本発明の更に他の態様に係るコーディネート提案装置において、検索された第２の商品が複数存在し、かつ第２の商品が色数の異なる複数の第１の色情報を有する場合、検索された複数の第２の商品の画像を色数毎に整列させる画像整列部を有し、商品提示部は、画像整列部により整列された色数毎に整列された第２の商品の画像を提示することが好ましい。これにより、第２の商品の色数（単色、２配色、３色配色等）を特定して所望の第２の商品を探すことができる。
【００２２】
更に他の態様に係る発明は、電子商取引される商品群に関する商品情報が登録された商品データベースであって、登録された商品毎に商品と商品の画像を解析して得られる単色又は複数色の各色を示す第１の色情報を含む商品情報とが関連付けられて登録された商品データベースと、予めコーディネートされた第１の商品及び第２の商品のそれぞれの画像を解析して得られた複数色の各色を示す第２の色情報であって、色数が異なる複数の第２の色情報が登録されたコーディネート用配色データベースとを使用して、コーディネートされた商品を提案するコーディネート提案方法であって、ユーザ端末からコーディネートを希望する第１の商品を受け付けるステップと、受け付けた第１の商品に基づいて第１の商品の画像を解析して得られる第１の色情報を取得するステップと、取得した第１の色情報に基づいて第１の色情報を含み、かつ第１の色情報の色数よりも多くの色数を有する第２の色情報を、コーディネート用配色データベースから取得するステップと、取得した第１の色情報と取得した第２の色情報との差分を示す第３の色情報を求め、求めた第３の色情報に基づいて商品データベースから第３の色情報と同じ色情報である第１の色情報を有する第２の商品を検索するステップと、検索した第２の商品を、ユーザ端末により受け付けた第１の商品に対してコーディネートされた第２の商品としてユーザ端末に提示するステップと、を含む。
【００２３】
本発明の更に他の態様に係るコーディネート提案方法において、第１の色情報は、第１の商品の画像の色を代表する単色又は複数色に対応する色情報であって、予め設定された色数を有する基本カラーパレットから選択された単色又は複数色の各色を示す色情報であり、第２の色情報は、第１の商品及び第２の商品のそれぞれの画像の色を代表する複数色に対応する色情報であって、基本カラーパレットから選択された複数色の各色を示す色情報であることが好ましい。
【００２４】
本発明の更に他の態様に係るコーディネート提案方法において、コーディネート用配色データベースには、色数が異なる複数の配色の配色毎に第２の色情報が登録され、第２の色情報を取得するステップは、取得した第１の色情報を含み、かつ第１の色情報の色数よりも多くの色数を有する配色毎の第２の色情報をコーディネート用配色データベースから取得することが好ましい。
【発明の効果】
【００２５】
本発明によれば、コーディネートを希望する第１の商品を受け付けると、第１の商品及び第１の商品に対してコーディネートされる第２の商品の各商品の色数にかかわらず、第１の商品の色に対して適切に色のコーディネートがされた第２の商品を検索し、提案することができる。
【図面の簡単な説明】
【００２６】
【図１】本発明に係るコーディネート提案装置を含むクライアント・サーバシステムの概念図である。
【図２】ユーザ端末の機能構成例を示すブロック図である。
【図３】ユーザ端末の表示部に表示されるユーザ識別データの入力画面の一例を示す図である。
【図４】複数の感性語（検索ワードの候補）が表示されるユーザ端末の表示部の一例を示す図である。
【図５】本発明に係るコーディネート用配色データベースを作成する手順を示す図である。
【図６】本発明の概要を説明するために用いた図である。
【図７】コーディネート提案装置の実施形態の機能構成例を示すブロック図である。
【図８】商品データベースの構造例を示す図である。
【図９】商品検索部が取得した商品の画像データの表示態様例を示す図である。
【図１０】商品の画像を解析して色特徴量としての単色又は複数色の各色を示す色情報を取得する画像解析部を説明するために用いた図である。
【図１１】画像解析部の処理内容の一例を示すフローチャートである。
【図１２】コーディネート用配色データベースの構造例を示す図である。
【図１３】本発明に係るコーディネート提案方法の実施形態を示すフローチャートである。
【図１４】ユーザ端末の表示部に表示される第１の商品の画像を表示する画面とコーディネート画像とを表示する画面とを示す図である。
【発明を実施するための形態】
【００２７】
以下、添付図面に従って本発明に係るコーディネート提案装置及び方法の実施の形態について説明する。以下の実施形態では「服飾品、特に衣服」をコーディネートの対象の商品とする例について説明するが、これに限定されず、他の任意の商品をコーディネートする場合にも本発明を応用することが可能である。
【００２８】
図１は、本発明に係るコーディネート提案装置を含むクライアント・サーバシステム１の概念図である。本実施形態に係るクライアント・サーバシステム１は、コーディネート提案装置１０と、複数の一般消費者（ユーザ）のユーザ端末１１と、複数の電子商取引サイト（ＥＣサイト）EC0〜ECｎとがインターネット等のネットワーク１２を介して接続されて構成される。
【００２９】
コーディネート提案装置１０は、クライアント・サーバシステム１におけるサーバに相当し、ユーザ端末１１及びＥＣサイトEC0〜ECｎは、クライアント・サーバシステム１におけるクライアントに相当する。コーディネート提案装置１０は、２以上の商品を適宜組み合わせた（コーディネートした）商品であるコーディネート商品をユーザに提案したり、ＥＣサイトEC0〜ECｎが取り扱っている商品をユーザに紹介するサービスを行い、ＥＣサイトEC0〜ECｎの事業者からサービスに対する報酬を受け取るアフィリエイトサイトとして機能する。
【００３０】
ユーザ端末１１は、ユーザが服飾品等の商品（コーディネート商品を含む）を検索する際に操作する端末であり、例えばスマートフォン、タブレットデバイス等のポータブル端末やパソコンなどの形態をとりうる。
【００３１】
ＥＣサイトEC0〜ECｎは、商品に関する情報（例えば、商品画像、ブランド、在庫、価格、サイズ、お勧め商品、及び購買情報等）をコーディネート提案装置１０に提供したり、ユーザ端末１１からコーディネート提案装置１０を経由してアクセスしたユーザに対して、又はコーディネート提案装置１０を経由せずにアクセスしたユーザに対して、ＥＣサイトが取り扱っている商品に関する情報を提供する機能を備える。
【００３２】
このクライアント・サーバシステム１において、まずユーザ端末１１の機能構成について説明する。
【００３３】
図２は、ユーザ端末１１の機能構成例を示すブロック図である。
【００３４】
本例のユーザ端末１１は、主として入力部２０、通信部２３（送信部２１及び受信部２２）、表示制御部２５、表示部２７及びシステムコントローラ２８から構成されている。
【００３５】
入力部２０は、ユーザ識別情報（ユーザＩＤ）、パスワード、検索ワード等のデータ類、表示部２７に表示されるアイコン等の選択、表示部２７の画面の操作（タップ、スワイプ、ピンチ又はストレッチ等）を入力するためにユーザによって直接的に操作される操作部と、操作部を介して入力されたユーザＩＤ、パスワード、検索ワード等のデータ類を特定する情報特定部とを含む。
【００３６】
ユーザＩＤ及びパスワードは、ユーザ端末１１を操作するユーザを特定するためのデータであり、以下、ユーザＩＤ及びパスワードのいずれか一方又は両者の組み合わせを「ユーザ識別データ」とも呼ぶ。「検索ワード」は、ユーザが希望する商品の特徴を表す用語であり、商品のカテゴリ、デザイン特徴量又は感性語を用いることができる。
【００３７】
商品のカテゴリは、商品（服飾品）の範疇を示すもので、トップス、ボトムス、パンツ、ブラウス、スカート、Ｔシャツ、ワンピース等である。商品のデザイン特徴量は、色特徴量、柄特徴量、形特徴量、及び質感特徴量のうちの少なくとも色特徴量を含む。感性語は、感覚的な用語であり、検索ワードとしての感性語は、ユーザが検索商品に期待する印象を表す。
【００３８】
ユーザ端末１１がスマートフォン等のポータブル端末の場合、ユーザ端末１１に設けられたボタン類やタッチパネルを操作部として利用することが可能であり、情報特定部は、この操作部によって選択された商品のカテゴリやデザイン特徴量を特定する。ユーザは、操作部を介して任意の手法でデータ類を入力可能であり、データ類を直接的に入力してもよいし、表示部２７に表示される複数の候補の中から１以上の所望のデータ類を選択することで入力してもよい。
【００３９】
図３は、ユーザ端末１１の表示部２７に表示されるユーザ識別データの入力画面の一例を示す。本例では、表示部２７に設けられたタッチパネルをユーザ操作部（入力部２０）とするポータブル端末をユーザ端末１１とする。
【００４０】
ユーザは、適正なユーザであることを認証するため、ユーザ毎に設定されるユーザＩＤ及びパスワードをユーザ端末１１に入力する。図３に示す例では、表示部２７にユーザＩＤデータ入力欄２７ａ、パスワード入力欄２７ｂ及びソフトウエアキーボード２７ｃが表示される。ユーザＩＤデータ入力欄２７ａは、ユーザがユーザＩＤを入力する欄であり、パスワード入力欄２７ｂは、ユーザがパスワードを入力する欄である。ユーザはソフトウエアキーボード２７ｃを使って、割り当てられているユーザＩＤをユーザＩＤデータ入力欄２７ａに入力し、パスワードをパスワード入力欄２７ｂに入力する。
【００４１】
ソフトウエアキーボード２７ｃは、表示部２７に表示される任意の文字パレット及びタッチパネル（表示部２７）によって構成され、タッチパネルのうち表示部２７に表示された各文字パレットに対応する箇所をユーザがタッチすることで、タッチ位置に対応する文字等がユーザＩＤデータ入力欄２７ａ又はパスワード入力欄２７ｂに入力される。ソフトウエアキーボード２７ｃを使って表示部２７に表示される文字パレットは特に限定されず、ひらがな、アルファベット、数字、記号等の入力用文字だけではなく、スペースキー、エンターキー、デリートキー、表示切り換えキー等のファンクションキーもソフトウエアキーボード２７ｃとして表示部２７に表示可能である。
【００４２】
例えば、ユーザＩＤデータ入力欄２７ａに対応する位置のタッチパネル（表示部２７）がユーザによってタッチされることでユーザ端末１１はユーザＩＤ入力モードに移行し、ユーザはソフトウエアキーボード２７ｃを使ってユーザＩＤをユーザＩＤデータ入力欄２７ａに入力することができる。同様に、例えばパスワード入力欄２７ｂに対応する位置のタッチパネルがユーザによってタッチされることでユーザ端末１１はパスワード入力モードに移行し、ユーザはソフトウエアキーボード２７ｃを使ってパスワードをパスワード入力欄２７ｂに入力することができる。ユーザ識別データ及びパスワードが入力された状態でソフトウエアキーボード２７ｃのエンターキーに対応する位置をユーザがタッチすることで認証処理が行われ、認証の結果、ユーザ識別データ及びパスワードが適正な場合には表示部２７の表示は検索処理画面に移行する。
【００４３】
図４は、複数の感性語（検索ワードの候補）が表示されるユーザ端末１１の表示部２７の一例を示す。
【００４４】
本例の入力部２０（タッチパネル）は、ユーザからの指示を受け付けて、その指示に応じて表示部２７に表示される複数の感性語のうちの少なくとも一つを特定する感性語選択部として機能し、特定された感性語を示す感性語データを、入力部２０を介して入力された感性語データとして特定する。より具体的には、検索ワードの候補となる複数の感性語が表示部２７（タッチパネル）に表示され、表示部２７に表示された複数の感性語のうちのいずれかに対応する箇所をユーザがタッチすることで、タッチ位置に対応する感性語が検索ワードとして入力される。
【００４５】
表示部２７における複数の感性語の表示態様は特に限定されず、複数の感性語が表示部２７において、所定のルールに従って整然と並べられて表示されてもよいし、ランダムに表示されてもよい。また、表示部２７における複数の感性語の表示を所謂「タグクラウド」表示としてもよく、表示部２７における感性語の表示サイズを相互に異ならせてもよい。図４の例では「プリティ」という感性語が一番大きく表示され、その次に「カジュアル」及び「ゴージャス」という感性語が大きく表示され、その次に「シック」、「ナチュラル」及び「エレガント」という感性語が大きく表示され、「フォーマル」という感性語が一番小さく表示されている。
【００４６】
また、表示部２７に表示される複数の感性語は、予め定められていてもよいし、検索処理毎に変えられてもよい。また、表示部２７に表示される複数の感性語データは、ユーザ端末１１内に予め記憶されていてもよいし、コーディネート提案装置１０からユーザ端末１１（表示制御部２５（図２参照））に送られてきてもよい。この場合、表示制御部２５は、検索処理毎にコーディネート提案装置１０から通信部２３（受信部２２）を介して送られてくる感性語データに基づいて、タグクラウド状に検索ワードの候補（複数の感性語）を表示部２７に表示させてもよい。また、コーディネート提案装置１０からユーザ端末１１に送られてくる複数の感性語データは特に限定されず、例えばコーディネート提案装置１０における検索処理で検索ワードとして指定された頻度や、ユーザの属性等に応じて変えられてもよい。
【００４７】
送信部２１（図２参照）は、入力部２０を介してユーザにより特定されたユーザ識別データ、感性語データ（検索ワード）等のデータ類を、ネットワーク１２（図１参照）を介してコーディネート提案装置１０に送信する。また、受信部２２は、ネットワーク１２を介してコーディネート提案装置１０から送信される後述の「検索結果の商品群を示す画像データ、コーディネートされた複数の商品の画像（コーディネート画像）」、「表示情報データ」等のデータ類を受信する。これらの送信部２１及び受信部２２によって通信部２３が構成されており、送信部２１及び受信部２２は同一の機器類によって構成されてもよい。
【００４８】
表示制御部２５は、表示部２７を制御して表示部２７の表示全般をコントロールし、例えば表示部２７におけるユーザ識別データの指定モードの画面表示（図３参照）及び感性語データ（検索ワード）の指定モードの画面表示（図４参照）を切り換える。また、表示制御部２５は、受信部２２が受信した商品の画像データを、受信部２２が受信した表示情報データに応じて表示部２７に表示させる。
【００４９】
システムコントローラ２８（図２参照）は、通信部２３（送信部２１及び受信部２２）、入力部２０及び表示制御部２５を制御して上述の処理或いは他の処理を各部に実行させ、また、ユーザ端末１１の図示しない各部も制御する。例えば、ユーザ認証処理（図３参照）では、システムコントローラ２８が入力部２０及び通信部２３を制御し、ユーザにより入力部２０を介して入力されたユーザ識別データを送信部２１及びネットワーク１２を介してコーディネート提案装置１０に送信する。また、システムコントローラ２８が入力部２０、受信部２２及び表示制御部２５を制御し、コーディネート提案装置１０から送信されるユーザ認証の結果、検索ワードの候補（複数の感性語データ）（図４参照）、検索結果データＤ５、表示情報データＤ６等を受信し、表示部２７におけるユーザ認証の適否の表示、検索ワードのタグクラウド表示（図４参照）、検索された商品画像６６の表示（図９参照）等が行われる。
【００５０】
このようにユーザは、上述の構成を有するユーザ端末１１を操作して商品検索を行う場合、ユーザ識別データＤ１（ユーザＩＤ及びパスワード）、及びデザイン特徴量（感性語を含む）等の検索データＤ２を、入力部２０（タッチパネル）を使って入力する。入力部２０を介してユーザにより入力されて特定されるユーザ識別データＤ１及び検索データＤ２は、入力部２０から送信部２１に送信され、送信部２１によりネットワーク１２を介してコーディネート提案装置１０に送信される。
【００５１】
また、ユーザ端末１１の入力部２０は、図９に示す商品画像６６として表示された商品群の中からいずれかの商品に対する購入等のアクションを示すアクション情報（操作履歴情報）を入力し、又は図１４（ｂ）に示すコーディネート画像として表示されたコーディネート商品に対するアクション情報を入力し、入力したアクション情報を送信部２１を介してコーディネート提案装置１０に送信（出力）する操作部として機能する。
【００５２】
ここで、商品に対するアクション情報（操作履歴情報）としては、例えば、商品の購入操作、仮想の試着室に商品を持ち込む操作、試着リストに商品を登録する操作、仮想のマイクローゼットに商品を登録（保持）する操作、商品をお気に入りに登録する操作、商品を推薦する操作、商品の詳細情報の閲覧要求操作、納期指示要求、納期確認要求、スモール（Ｓ）、ミディアム（Ｍ）、ラージ（Ｌ）、フリー等のサイズ選択要求、「いいね！」などの高評価を示す評価、及びメール転送のうちの少なくとも１つを含む。尚、仮想のマイクローゼットとは、コーディネート提案装置１０側に準備されているユーザ毎に割り当てられている記憶領域であり、ユーザが過去に購入した商品やユーザが関心を示した商品等の情報が登録されている記憶領域をいう。また、仮想の試着室とは、商品を仮想的に試着するための画面（試着画面）をいい、商品が試着室に持ち込まれると、例えば試着室内の特定の領域に商品の画像を表示し、又は試着室内のマネキン画像上に商品の画像を重ねて表示する。
【００５３】
［本発明の概要］
次に、図５及び図６を参照しながら本発明の概要を説明する。
【００５４】
図５は、本発明に係るコーディネート用配色データベースを作成する手順を示す図である。
【００５５】
図５に示すように、予め服飾のコーディネータがコーディネートしたコーディネート商品の画像を解析し、デザイン特徴量（第２のデザイン特徴量）を取得する。即ち、コーディネート商品の画像から、コーディネート商品の画像を代表する色を含む領域を切り出し、各領域の画像を平滑化フィルタにより平滑化処理し、平滑化した各領域の画像の代表色を示す色特徴量を取得する。
【００５６】
本例では、色特徴量として、ＨＳＶ色空間における３属性（Ｈ（色相）・Ｓ（彩度）・Ｖ（明度））の各値（以下、「ＨＳＶ値」という）を取得する。また、コーディネート商品は、複数のカテゴリの商品（図５に示す例では、トップスとボトムス）であるため、２色以上の色特徴量（ＨＳＶ値）を取得する。
【００５７】
続いて、取得した色特徴量（ＨＳＶ値）毎に、１３０色の色数を有する基本カラーパレット６０から該当する色情報を選択する。ここで、１３０色は、１２０色の有彩色と１０色の無彩色とを有し、１２０色の有彩色は、１０種類の色相と１２種類のトーンとの組み合わせからなり、１０色の無彩色は、白から黒までの１０種類のトーンからなる。尚、基本カラーパレットの色数及び分類方法は、この実施形態に限定されない。
【００５８】
１つの色特徴量（ＨＳＶ値）が測定されると、測定した色特徴量に対応する基本カラーパレット６０における１３０色のうちの１つの色（色情報）を決定することができる。
【００５９】
いま、コーディネート商品の画像の代表色が２色の場合、基本カラーパレット上の２つの色（２色配色）を特定することができる。同様に、コーディネート商品の画像の代表色が３色の場合には、基本カラーパレット上の３つの色（３色配色）を特定することができ、コーディネート商品の画像の代表色がＮ色（Ｎ：４以上の整数）の場合には、基本カラーパレット上のＮ個の色（Ｎ色配色）を特定することができる。
【００６０】
上記のように予め服飾のコーディネータがコーディネートした多数のコーディネート商品の画像を解析し、各コーディネート商品の配色及び色情報（第２の色情報）を特定し、特定した配色の第２の色情報が、配色（２色配色、３色配色、４色配色、…）毎にコーディネート用配色データベース（コーディネート用配色ＤＢ）４４に登録される。
【００６１】
いま、図６に示すように第１の色情報として「黒」のトップス（第１の商品）に対してコーディネートされるボトムス（第１の商品とはカテゴリが異なる第２の商品）を検索する場合、トップスの第１の色情報「黒」を有する第２の色情報（２色配色、３色配色、…）を、コーディネート用配色ＤＢ４４から抽出する。図６に示す例では、「黒」を有する配色として、「黒、赤」の２色配色が抽出されている。尚、「黒」を有する２色配色は、「黒、赤」の１つに限らず、複数存在しうる。
【００６２】
上記のようにして「黒、赤」の２色配色が抽出されると、トップスの「黒」（第１の色情報）と、抽出された「黒、赤」の２色配色（第２の色情報）との差分を示す「赤」（第３の色情報）を求め、この「赤」を有するボトムスを、商品データベース（商品ＤＢ）４６から検索する。尚、商品ＤＢ４６の構成の詳細については後述する。
【００６３】
検索された「赤」のボトムス（第２の商品）は、本例のトップス（第１の商品）にマッチする商品としてユーザ端末１１を介してユーザに提示（提案）される。
【００６４】
ここで、「黒」のトップスと「赤」のボトムスとが組み合わされたコーディネート商品の「黒、赤」の２色配色は、服飾のコーディネータがコーディネートしたコーディネート商品に基づいて作成され、コーディネート用配色ＤＢ４４に登録された２色配色のうちの１つであり、「黒」のトップスと「赤」のボトムスとが組み合わされたコーディネート商品は、適切にコーディネートされたものと言える。
【００６５】
尚、上記の例では、単色「黒」の第１の色情報に基づいて、第２の色情報として「黒、赤」の２色配色のものが抽出された場合ついて説明したが、３色配色、４色配色、…からも抽出することができ、この場合、２色配色、３色配色のボトムスが検索される。また、２色配色の第１の色情報に基づいて、３色配色以上の第２の色情報を取得することができる。
【００６６】
第１の商品の画像の第１の色情報の色数、この第１の色情報に基づいてコーディネート用配色ＤＢ４４から抽出される第２の色情報の色数、及び第１の色情報と第２の色情報との差分を示す第３の色情報との関係を、下記の［表１］に示す。
【００６７】
【表１】
2016071610.tif 000003
【００６８】
［コーディネート提案装置の実施形態］
次に、コーディネート提案装置１０の機能構成について説明する。
【００６９】
図７は、コーディネート提案装置１０の実施形態の機能構成例を示すブロック図である。
【００７０】
本例のコーディネート提案装置１０は、ユーザにコーディネート商品を提案するコーディネート提案装置として機能する部分と、ユーザ端末１１での操作に基づいて商品を検索する商品検索装置として機能する部分とを備えている。また、コーディネート提案装置１０は、クライアント・サーバシステム１の中ではＥＣサイトEC0〜ECｎ（図１）が取り扱っている商品を、ユーザに紹介するサービスを行うアフィリエイトサイトとして機能したり、ＥＣサイトEC0〜ECｎに代行してユーザ端末１１との間で電子商取引する機能を有する。
【００７１】
図７に示すようにコーディネート提案装置１０は、主として通信部３３（送信部３１及び受信部３２）、商品受付部３４、コーディネート画像提示部３６、第１の色情報取得部４０、第２の色情報取得部４２、コーディネート用配色ＤＢ４４、商品ＤＢ４６、商品検索部４８、５０、及び画像整列部５２から構成されている。
【００７２】
受信部３２は、ネットワーク１２を介してユーザ端末１１から送信されるユーザ識別データＤ１、検索データＤ２等のデータ類、及びユーザからの購入等のアクション情報を受信し、検索データＤ２を商品検索部４８に送信し、ユーザ識別データＤ１をユーザＩＤ取得部５４に送信する。
【００７３】
商品検索部４８は、ユーザがコーディネートを希望する第１の商品を検索するもので、商品ＤＢ４６にアクセスして、ユーザ端末１１からネットワーク１２を介して受信部３２が受信した検索データＤ２に基づいて、商品ＤＢ４６に格納されている商品群から商品を絞り込み、１又は複数の商品を検索する。
【００７４】
ここで、図８を参照しながら商品ＤＢ４６について説明する。
【００７５】
商品ＤＢ４６は、図８に示すように商品毎に商品情報を登録、管理するものであり、商品を一意に特定する商品ＩＤをキーとして、商品のカテゴリ情報、商品の画像データ、商品の画像を解析して得たデザイン特徴量（色特徴量、柄特徴量、形特徴量、及び質感特徴量等の物理計測値）、感性語、ＥＣサイト（店舗）を示すサイト情報、ブランド情報、在庫情報、サイズ（ＳＭＬ、フリー）情報、及び価格情報を関連付けて記憶する記憶部として機能する。ここで、商品ＩＤは、商品毎、ＥＣサイト毎及びサイズ毎に商品を一意に特定するユニークな識別情報であり、同じ商品でも取り扱っているＥＣサイトやサイズが異なれば、異なるＩＤが付されているものとする。カテゴリ情報とは、商品（服飾品）の範疇を示すもので、トップス、ボトムス、パンツ、ブラウス、スカート、Ｔシャツ、ワンピース等の情報であり、ユーザ端末１１により検索する商品のカテゴリを絞り込むときに使用される。
【００７６】
尚、商品ＤＢ４６に登録される商品情報は、デザイン特徴量及び感性語を除いてＥＣサイトから収集できるようになっており、デザイン特徴量は、コーディネート提案装置１０側の画像解析部６２（図１０）が商品の画像データを解析して取得し、商品の情報の一部として付与される。
【００７７】
また、図８に示す例では、色特徴量としてＨＳＶ値と、ＨＳＶ値に対応する基本カラーパレットから選択したＨＳＶ値に対応する色情報（第１の色情報）とが記録されている。尚、第１の色情報は、１３０色の基本カラーパレットの色の番号（＃１〜＃１３０）を示す情報である。また、商品の画像が単色の場合には、１組のＨＳＶ値と色情報とが記録され、複数の色を有する場合には、複数組のＨＳＶ値と色情報とが記録される。
【００７８】
柄特徴量は、例えば、柄密度及び柄サイズにより規定される特徴量が考えられる。形特徴量は、例えば、全体の幅（細い−太い）、袖の大きさ（短い−長い）、丈の大きさ（短い−長い）、ネックライン（襟ぐり）の幅及び高さ、ネックラインによって規定されユーザの頭部を通過させるための空間の断面積（小さい−大きい）、Ｖネックの角度（小さい−大きい）、Ｕネックの曲率（小さい−大きい）等によって規定される特徴量が考えられる。質感特徴量は、例えば、光沢度及び透け度によって規定される特徴量が考えられる。
【００７９】
感性語は、商品の画像データを解析して得たデザイン特徴量が取得されると、取得したデザイン特徴量を変換テーブル（例えば、多数のデザイナー等によるアンケート調査に基づいて作成した感性語とデザイン特徴量との関係を示す変換テーブル）を使用して変換することにより求めることができる。
【００８０】
商品検索部４８は、感性語及びデザイン特徴量を示す検索データＤ２に基づいて、商品ＤＢ４６に格納されている商品群から商品を絞り込むことにより１又は複数の商品を検索し、検索した商品の情報（画像データ等）を画像整列部５２に出力する。尚、商品のカテゴリ、ＥＣサイト、ブランド、サイズ、及び価格等も検索データＤ２として使用することできることは言うまでもない。
【００８１】
画像整列部５２は、商品検索部４８が検索によって取得した商品の画像データの表示態様を決定し、決定した表示態様を示す表示情報データを生成する。即ち、画像整列部５２は、商品検索部４８が検索した商品の画像データの表示態様を、商品の特性データに応じて商品の画像データが表示されるものとして決定し、決定した表示態様を示す表示情報データを生成する。
【００８２】
画像整列部５２が生成する表示情報データは、商品検索部４８が検索した商品の画像データの少なくとも一部が、商品の特性データを表す座標系上に表示される表示態様を示す。ここでいう「商品の特性データ」は、商品の特性のうち、ユーザがユーザ端末１１を介して特定した検索データＤ２とは異なる特性に基づいている。例えば、商品の価格及び商品のサイズのうち少なくともいずれか一方のデータに基づいて「商品の特性データ」が定められてもよい。
【００８３】
図９は、商品検索部４８が検索した商品の画像データの表示態様例を示す。図９（ａ）は横軸が商品の「サイズ（大・小）」を示し、縦軸が商品の「値段（価格）」を示す。図９（ｂ）は横軸が商品の「形（太い・細い）」を示し、縦軸が商品の「値段」を示す。図９（ｃ）は横軸が商品の画像の「トーン（濃・淡）」を示し、縦軸が商品の「値段」を示す。図９（ｄ）は横軸が商品の画像の「柄密度（密・疎）」を示し、縦軸が商品の「トーン（濃・淡）」を示す。図９（ａ）〜（ｄ）の各々に示される座標系６４には複数（図６では横方向に３枚及び縦方向に３枚の計９枚）の商品画像６６（商品群）が示されている。
【００８４】
このように画像整列部５２（図７参照）は、商品検索部４８が検索によって取得した商品の画像データ（商品画像６６）から、座標系６４上に表示する表示態様（図９（ａ）〜（ｄ）参照）を示す表示情報データを生成する。
【００８５】
送信部３１は、商品検索部４８によって取得された検索結果（商品の画像データを含む）と画像整列部５２によって生成された表示情報データとを、ネットワーク１２を介してユーザ端末１１に送信する。送信部３１によって送信された検索結果及び表示情報データは、ユーザ端末１１の受信部２２（図２参照）によって受信される。そして表示制御部２５は、受信した表示情報データに基づいて商品検索部４８が検索によって取得した商品の画像データ（商品画像６６）の表示態様を決定して、決定した表示態様に従って表示部２７に商品の画像データ（商品画像６６）を表示させる（図９（ａ）〜（ｄ）参照）。
【００８６】
ユーザ端末１１の入力部２０は、商品画像６６として表示された商品群の中からいずれかの商品に対する購入等のアクション情報を入力し、入力したアクション情報を送信部２１を介してコーディネート提案装置１０に送信（出力）する。これにより、ユーザ端末１１及びコーディネート提案装置１０からなるクライアント・サーバシステム１による商品の検索、及び検索した商品に対する購買等のアクションを伴った電子商取引が行われる。
【００８７】
ユーザＩＤ取得部５４は、ネットワーク１２及び受信部３２を介してユーザ端末１１から送信されるユーザ識別データＤ１を取得し、取得したユーザ識別データＤ１をユーザＤＢ５６に登録したり、ユーザ識別データＤ１により特定されたユーザのユーザＩＤをユーザＤＢ５６から取得する。また、ユーザＩＤと関連付けて過去にそのユーザが購入した商品、閲覧した商品等の情報がユーザＤＢ５６等に登録されている場合には、取得したユーザＩＤに基づいてユーザＩＤに関連付けて登録された商品を読み出し、読み出した商品を画像整列部５２に送出するようにしてもよい。これによれば、ユーザが購入した商品、閲覧した商品等を、ユーザがコーディネートを希望する商品（第１の商品）とすることができる。
【００８８】
商品受付部３４は、ユーザ端末１１の操作に基づいてユーザがコーディネートを希望する商品（第１の商品）を取得する部分である。第１の商品は、商品ＤＢ４６に登録されている商品群のうちの一の商品であり、検索データＤ２に基づいて商品検索部４８により検索された一の商品、又は検索された複数の商品からユーザが選択した一の商品である。また、第１の商品は、ユーザ端末１１での商品への関心を示す現在又は過去の操作履歴情報から特定される商品とすることができる。例えば、ユーザがユーザ端末１１を使用して所望の商品を検索し、検索した商品を、後述する仮想の試着室に持ち込む操作が行われた場合には、仮想の試着室に持ち込まれた商品を第１の商品とすることができる。また、ユーザが、コーディネート提案装置１０又はＥＣサイトEC0〜ECｎで過去に商品を購入した場合、その購入した商品を第１の商品とすることができる。更に、ユーザ端末１１の表示部２７に特定のＥＣサイトが取り扱っている、ＥＣサイトお勧めの商品の画像が表示されている場合、特定のＥＣサイトが推薦する商品を第１の商品としてもよい。また、商品受付部３４は、ユーザ端末１１により本サイト（コーディネート提案装置１０）にログインしたとき、ログインしたユーザ端末１１から取得したユーザＩＤを有するユーザの過去の操作履歴情報から特定される商品を自動的に第１の商品とすることができる。
【００８９】
商品受付部３４が取得した第１の商品を示す情報は、それぞれコーディネート画像提示部３６及び第１の色情報取得部４０に出力される。
【００９０】
第１の色情報取得部４０は、第１の商品を示す情報を入力すると、その第１の商品の画像を解析して得られる色特徴量（ＨＳＶ値）に対応する色情報（第１の色情報）を、商品ＤＢ４６から取得する。即ち、商品ＤＢ４６には、商品ＩＤ（第１の商品を示す情報）に関連付けて第１の商品の画像を予め解析して得たデザイン特徴量が登録されており（図８参照）、第１の色情報取得部４０は、入力した第１の商品を示す情報に基づいて商品ＤＢ４６から対応する色情報（第１の色情報）を取得する。
【００９１】
また、第１の色情報取得部４０は、図１０に示す画像解析部６２を備え、商品（第１の商品）の画像を解析して第１の色情報を取得してもよい。尚、本例では、第１の色情報取得部４０は、第１の商品の画像の色特徴量（ＨＳＶ値）に対応する色情報であって、基本カラーパレット６０上の単色又は複数色に対応する色情報（第１の色情報）を取得する。
【００９２】
次に、図１０及び図１１を使用して、商品の画像から色特徴量及び色情報を取得する方法について説明する。
【００９３】
図１１は、図１０に示した画像解析部６２の処理内容の一例を示すフローチャートである。
【００９４】
図１１において、まず、商品の画像を入力する（ステップＳ１０）。この場合、商品の全体画像を入力してもよいし、商品の全体画像から適当な領域（複数の色を有する場合には、色別の領域）を切り取って入力するようにしてもよい。
【００９５】
次に、商品の画像の色数を示すパラメータｉを０に設定し（ｉ＝０）（ステップＳ１２）、その後、入力した画像を解析する（ステップＳ１４）。本例では、入力した画像を解析し、ＨＳＶ色空間におけるＨ（色相）、Ｓ（彩度）及びＶ（明度）を示す値（ＨＳＶ値）を、画像の色特徴量として取得する。
【００９６】
取得した画像の色特徴量を示すＨＳＶ値から商品の画像の代表色の色数ｎを決定する（ステップＳ１６）。ここで、代表色は、離れた位置からも十分に視認できる一定の面積以上を有する色をいい、例えば、大きな面積の「ベースカラー」、次に大きな面積を占める「アソートカラー」に限らず、小面積の「アクセントカラー」も代表色としてもよい。
【００９７】
続いて、ステップＳ１６で決定した代表色のうちの一の代表色のＨＳＶ値を取得する（ステップＳ１８）。
【００９８】
次に、取得したＨＳＶ値を、基本カラーパレット６０の情報を用いて基本カラーパレット６０の１３０色のうちのいずれかの色を示す色情報に変換する（ステップＳ２０）。これにより、全ての色を表すＨＳＶ値は、１３０色のうちのいずれかの色に変換され、減色される。
【００９９】
次に、色数を示すパラメータｉを１だけインクリメントし（ステップＳ２２）、パラメータｉが色数ｎと一致（ｉ＝ｎ）したか否かを判別する（ステップＳ２４）。パラメータｉが色数ｎと一致しない場合（「No」の場合）には、ステップＳ１８に遷移し、別の一の代表色についてステップＳ１８からステップＳ２４の処理を繰り返す。
【０１００】
一方、パラメータｉが色数ｎと一致した場合（「Yes」の場合）には、ステップＳ２０で変換した色情報を、入力した画像の色情報として出力する（ステップＳ２６）。
【０１０１】
即ち、図１０に示すように画像解析部６２は、商品の画像を入力すると、上記のようにして画像を解析し、基本カラーパレット６０の情報を用いて単色又は複数色の各色を示す色情報を出力する。
【０１０２】
図７に戻って、第１の色情報取得部４０により取得された第１の色情報は、それぞれ第２の色情報取得部４２及び商品検索部５０に加えられる。
【０１０３】
第２の色情報取得部４２は、入力する第１の色情報に基づいてコーディネート用配色ＤＢ４４から、第１の商品及び第２の商品のそれぞれの画像を解析して得られた第２の色情報を取得する。
【０１０４】
ここで、コーディネート用配色ＤＢ４４の構成の一例を、図１２に示す。
【０１０５】
図１２に示すように、本例のコーディネート用配色ＤＢ４４には、前述したように予め服飾のコーディネータがコーディネートした多数のコーディネート商品の画像を解析し、各コーディネート商品の配色及び色情報（第２の色情報）を特定し、特定した配色の第２の色情報が、色数の異なる複数の配色（２色配色、３色配色、４色配色、…）毎に分類して登録されている。
【０１０６】
図１２に示す例では、２色配色の色情報として、（＃７,＃１０)、（＃３２,＃６１)、…が登録されている。尚、図１２において、（＃＋数字）は、１３０色の基本カラーパレット６０の色の番号（＃１〜＃１３０）を示している。また、各配色の色情報は、説明の便宜上のものであり、コーディネートされる色の組合せ（配色）として適切な配色の色情報であるとは限らない。
【０１０７】
色数が１３０色の場合、２色配色の組合せは、８３８５（＝１３０Ｃ２）通り存在するが、適切にコーディネートされる色の組合せとしては、８３８５よりも少ない。８３８５通りの組合せの中には、服飾のコーディネータがコーディネートしない不適切な色の組合せが含まれるためである。
【０１０８】
服飾のコーディネータがコーディネートしたコーディネート商品（第１の商品と第２の商品）の２色配色の組合せは、コーディネート用配色ＤＢ４４に登録される。同様に３色配色、４色配色、…の場合もコーディネート用配色ＤＢ４４に登録される。
【０１０９】
したがって、登録される色情報には、２色配色のもの、３色配色のもの、４色配色のもの、…が存在し、かつ色数が異なる配色毎に、多数の配色の組合せが登録される。
【０１１０】
図７に戻って、第２の色情報取得部４２は、入力した第１の色情報（基本カラーパレット６０上の単色又は複数色に対応する色情報（第１の色情報））に基づいて、第１の色情報を含み、かつ第１の色情報の色数よりも多くの色数を有する第２の色情報を、コーディネート用配色ＤＢ４４から取得する。
【０１１１】
例えば、入力した第１の色情報が、単色「黒」を示す場合、第２の色情報取得部４２は、２色配色、３色配色、４色配色、…のうち、「黒」を含む２色配色、３色配色、４色配色、…を示す第２の色情報を取得する。
【０１１２】
また、入力した第１の色情報が、２色配色「黒、赤」を示す場合、第２の色情報取得部４２は、３色配色、４色配色、…のうち、２色配色「黒、赤」を含む３色配色、４色配色、…を示す第２の色情報を取得する。
【０１１３】
第２の色情報取得部４２により取得された第２の色情報は、商品検索部５０に加えられる。商品検索部５０の他の入力には、第１の色情報取得部４０から第１の色情報が加えられており、商品検索部５０は、これらの第１の色情報及び第２の色情報に基づいて、商品ＤＢ４６から第１の商品に対してコーディネートされる第２の商品を検索する。
【０１１４】
即ち、商品検索部５０は、第１の色情報取得部４０により取得された第１の色情報と第２の色情報取得部４２により取得された第２の色情報との差分を示す第３の色情報を求め、求めた第３の色情報に基づいて商品ＤＢ４６から第３の色情報と同じ色情報である第１の色情報を有する第２の商品（第１の商品とカテゴリが異なる第１の商品と組み合わされる第２の商品）を検索する。
【０１１５】
具体的には、商品検索部５０は、第１の色情報取得部４０により取得された単色又は複数色の各色を示す第１の色情報と、第２の色情報取得部４２により取得された複数色の各色を示す第２の色情報（第２の色情報の色数＞第１の色情報の色数）との差分を示す第３の色情報を求め、求めた第３の色情報に基づいて商品ＤＢ４６から第３の色情報と同じ色情報を有する第２の商品を検索する。
【０１１６】
例えば、図６を用いて説明したように商品検索部５０には、第１の商品（トップス）の第１の色情報（黒）と、コーディネート用配色ＤＢ４４から取得した第２の色情報（黒、赤）とが入力される。商品検索部５０は、第１の色情報（黒）と第２の色情報（黒、赤）との差分を示す第３の色情報（赤）を求め、第３の色情報（赤）を有する第２の商品（ボトムス）を検索する。尚、商品検索部５０は、通常、複数の第２の商品を検索し、第１の色情報の色数が少ない程、より多くの第２の商品を検索する。
【０１１７】
商品検索部５０は、検索した第２の商品の情報（画像データ等）を、それぞれコーディネート画像提示部３６及び画像整列部５２に出力する。
【０１１８】
コーディネート画像提示部３６は、商品受付部３４により受け付けた第１の商品の情報と、商品検索部５０により検索された第２の商品の情報とに基づいて、第１の商品の画像と第２の商品の画像とを、ユーザ端末１１で同時に観察可能に出力する。このとき、コーディネート画像提示部３６は、例えば第１の商品がトップスであり、第２の商品がボトムスの場合、トップスの画像とボトムスの画像との画像サイズ、位置及び向き等を調整し、トップスの画像とボトムスの画像とが連続したコーディネート画像を生成するコーディネート画像生成部を含み、生成したコーディネート画像の画像データを出力してもよいし、第１の商品の画像と第２の商品の画像とを、コーディネート商品を示す個別の画像として出力してもよい。
【０１１９】
商品検索部５０により複数の第２の商品が検索された場合には、コーディネート画像提示部３６は、複数のコーディネート画像を順次、又は２以上同時に出力する。
【０１２０】
また、画像整列部５２は、コーディネート画像提示部３６の代わりに、第２の商品の画像を提示する商品提示部としても機能しうる。即ち、画像整列部５２は、商品検索部５０により複数の第２の商品が検索された場合には、複数の第２の商品の画像を明度又は彩度に応じて整列させ、整列させた複数の第２の商品の画像を順次又は２以上同時に提示する。尚、第２の商品の画像の明度又は彩度は、商品ＤＢ４６に登録されている色特徴量（ＨＳＶ値）を使用することができる。
【０１２１】
また、画像整列部５２は、検索された複数の第２の商品の画像を、第２の商品のサイズと値段とを座標軸とする空間上に整列させ（図９（ａ）参照）、整列させた複数の第２の商品の画像を提示することができる。尚、第２の商品のサイズと値段（価格）は、商品ＤＢ４６に登録されているサイズ、価格を使用することができる。
【０１２２】
更に、画像整列部５２は、検索された複数の第２の商品を、色数の異なる商品（単色、２色配色、３色配色等の商品）に分類し、分類した色数の異なる第２商品毎に、第２の商品の画像を順次又は２以上同時に提示するようにしてもよい。
【０１２３】
コーディネート画像提示部３６から出力されたコーディネート画像の画像データは、送信部３１を介して、コーディネートを希望する商品（第１の商品）を指定したユーザのユーザ端末１１に送信される。これにより、ユーザ端末１１の表示部２７にコーディネート画像を表示させることができる。
【０１２４】
ユーザは、ユーザ端末１１の表示部２７に表示されたコーディネート画像を見ながら、コーディネート商品に対する購入等のアクション情報を入力部２０により入力し、入力したアクション情報を送信部２１を介してコーディネート提案装置１０に送信する。
【０１２５】
［コーディネート提案方法］
次に、本発明に係るコーディネート提案方法の実施形態について、図１３及び図１４を参照しながら説明する。
【０１２６】
図１３において、コーディネート提案装置１０（商品検索部４８、画像整列部５２等）は、ユーザ端末１１からの商品の検索要求に応じて商品の画像を、ユーザ端末１１の表示部２７に表示させる（ステップＳ５０）。
【０１２７】
ユーザは、ユーザ端末１１の入力部２０を操作し、表示部２７に表示された商品画像に対して購入等のアクション情報を入力することにより、１又は複数の商品（第１の商品）を選択することができる。
【０１２８】
続いて、コーディネート提案装置１０では、ユーザ端末１１による第１の商品の選択が終了したか否かを判別する（ステップＳ５２）。例えば、コーディネート提案装置１０は、ユーザ端末１１の入力部２０において、第１の商品（複数の商品が選択されている場合には、タッチ等により選択した１つの商品）を、仮想の試着室に持ち込む操作等が行われると、第１の商品の選択が終了したと判別することができる。
【０１２９】
具体的には、図１４（ａ）に示すようにユーザ端末１１の表示部２７に表示された第１の商品の画像にタッチし、右スワイプすることにより、図１４（ｂ）に示すように仮想の試着室に第１の商品を持ち込むことができ、これにより図１４（ｂ）に示す第１の商品の画像のみが表示されている画面から仮想の試着室の画面（試着画面）に遷移させることができる。また、マイクローゼットに保持した商品から試着したい第１の商品の画像を選択し、ポップアップで画像詳細を表示させ、カテゴリ選択後に試着ボタン（図示しないアイコンボタン）を押下することで試着画面に遷移させることができる。尚、試着画面上で左スワイプすることにより、遷移前画面に戻すことができる。
【０１３０】
次に、第１の色情報取得部４０は、それぞれ第１の商品の画像の第１の色情報を、第１の商品の商品ＩＤに基づいて商品ＤＢ４６から取得する（ステップＳ５４）。
【０１３１】
続いて、第２の色情報取得部４２は、取得された第１の商品の画像の第１の色情報に基づいて、コーディネート用配色ＤＢ４４から対応する第２の色情報を取得する（ステップＳ５６）。即ち、取得した第１の色情報を含み、かつ第１の色情報の色数よりも多くの色数を有する第２の色情報を、コーディネート用配色ＤＢ４４から取得する。
【０１３２】
次に、商品検索部５０は、取得された第１の色情報と第２の色情報とに基づいて、商品ＤＢ４６から第１の商品にコーディネートされる第２の商品を検索する（ステップＳ５８）。即ち、第１の色情報と第２の色情報との差分を示す第３の色情報を求め、求めた第３の色情報に基づいて商品ＤＢ４６から第３の色情報と同じ色情報を有する第２の商品を検索する。
【０１３３】
コーディネート画像提示部３６は、商品受付部３４により受け付けた第１の商品の情報と、商品検索部５０により検索された第２の商品の情報とに基づいて、第１の商品の画像と第２の商品の画像とを、ユーザ端末１１で同時に観察可能にユーザ端末１１に出力する（ステップＳ６０）。本例では、図１４（ｂ）に示すように第１の画像（トップスの画像）と第２の画像（ボトムスの画像）との画像サイズ、位置及び向きを調整したコーディネート画像を出力しているが、単に第１の画像（トップスの画像）と第２の画像（パンツの画像）とを個別に出力し、ユーザ端末１１側のアプリケーションで第１の画像（トップスの画像）と第２の画像（パンツの画像）との画像サイズ、位置及び向きを自動的に調整して表示したり、ユーザ端末１１を操作して画像サイズ、位置及び向きを手動で調整して表示するようにしてもよい。
【０１３４】
コーディネート画像提示部３６から出力されたコーディネート画像の画像データは、送信部３１を介して、自動コーディネートを希望する商品（第１の商品）を指定したユーザのユーザ端末１１に送信される。これにより、ユーザ端末１１の表示部２７にコーディネート画像を表示（提示）させることができる（ステップＳ６２）。
【０１３５】
コーディネート提案装置１０は、コーディネート画像の提示中に、コーディネート画像の提示の終了操作が行われたか否かを判別し（ステップＳ６４）、終了操作が行われた場合には、本処理を終了する。例えば、図１４（ｂ）に示す試着画面で、左スワイプの操作が行われ、図１４（ａ）に示す画面に遷移した場合や、コーディネートされた第２の商品の購入等のアクションがあった場合に本処理を終了する。
【０１３６】
尚、本実施形態では、予めコーディネートされた第１の商品及び第２の商品（コーディネート商品）は、専門のコーディネータがコーディネートしたものであるが、これに限らず、一般ユーザが商品ＤＢ内の商品を使用してコーディネート投稿したもの、あるいはコーディネートして購入等がされたものを使用してもよい。
【０１３７】
また、本発明は上述した実施の形態に限定されず、本発明の精神を逸脱しない範囲で種々の変形が可能であることは言うまでもない。
【符号の説明】
【０１３８】
１…クライアント・サーバシステム、１０…コーディネート提案装置、１１…ユーザ端末、１２…ネットワーク、２０…入力部、２３、３３…通信部、２５…表示制御部、２７…表示部、２８…システムコントローラ、３４…商品受付部、３６…コーディネート画像提示部、４０…第１の色情報取得部、４２…第２の色情報取得部、４４…コーディネート用配色データベース、４６…商品データベース、４８、５０…商品検索部、５２…画像整列部、６０…基本カラーパレット、６２…画像解析部
【図１】
2016071610.tif 000004
【図２】
2016071610.tif 000005
【図３】
2016071610.tif 000006
【図４】
2016071610.tif 000007
【図７】
2016071610.tif 000008
【図８】
2016071610.tif 000009
【図９】
2016071610.tif 000010
【図１０】
2016071610.tif 000011
【図１１】
2016071610.tif 000012
【図１２】
2016071610.tif 000013
【図１３】
2016071610.tif 000014
【図１４】
2016071610.tif 000015
【図５】
2016071610.tif 000016
【図６】
2016071610.tif 000017